(57)【要約】【課題】建造物その他の構築物の壁部又は柱部に沿わせて列設するパネルによりツル科植物の育成用壁面を形成するための装置を提供する。【解決手段】多数の透孔を有するパネルの多数枚を、建造物その他の構築物の壁部又は柱部から成る構造物に沿わせて少なくとも上下方向に列設することにより育成用壁面を形成し、該壁面に沿わせてツル科植物を成長せしめる装置において、左右に間隔をあけて配置される一対の縦フレームから成る支柱装置と、前記一対の縦フレームを相互に連結するブラケット手段と該ブラケット手段を前記構造物に取付ける取付手段を含む取付装置と、前記パネルを支持せしめた状態で前記支柱手段に取付けられるパネル支持装置とから構成されており、前記支柱装置は、下から上に向けて順に積層自在に構成され、上下に隣接する縦フレームを同軸状に連結する連結手段を備えた構成である。【選択図】  図２
2005042338.tif 000002
【特許請求の範囲】
【請求項１】
多数の透孔２を有するパネル１の多数枚を、建造物その他の構築物の壁部又は柱部から成る構造物１５に沿わせて少なくとも上下方向に列設することにより育成用壁面６を形成し、該壁面６に沿わせてツル科植物を成長せしめる装置において、左右に間隔をあけて配置される一対の縦フレーム１４ａ、１４ａから成る支柱装置１４と、前記一対の縦フレーム１４ａ、１４ａを相互に連結するブラケット手段２３と該ブラケット手段２３を前記構造物１５に取付ける取付手段１６を含む取付装置９と、前記パネル１を支持せしめた状態で前記支柱手段１４に取付けられるパネル支持装置８とから構成されており、前記支柱装置１４は、下から上に向けて順に積層自在に構成され、上下に隣接する縦フレーム１４ａ、１４ａを同軸状に連結する連結手段３０を備えて成ることを特徴とするツル科植物育成用装置。
【請求項２】
支柱装置１４における一対の縦フレーム１４ａ、１４ａのそれぞれに筒片１７が固設され、パネル支持装置８の縦枠１１、１１に挿着片１２が固設されており、挿着片１２を筒片１７に対して上から下に向けて挿入することにより、パネル支持装置８を支柱装置１４に対して着脱自在に固着するように構成して成ることを特徴とする請求項１に記載のツル科植物育成用装置。
【発明の詳細な説明】
【技術分野】
【０００１】
本発明は、建造物その他の構築物の壁部又は柱部から成る構造物に沿わせて列設するパネルによりツル科植物の育成用壁面を形成するための装置、即ち、ツル科植物育成用装置に関する。
【背景技術】
【０００２】
近年、ヒートアイランド現象等の対策から、野外、屋外における種々の場所での緑化が推奨されている。このような要望に応えるため、本発明者においては、多種多様の植樹安定装置を提供し、建造物の地上及び屋上における樹木の植樹による緑化事業のために貢献している。
【０００３】
ところで、昨今、緑化の要望は、樹木を植樹することが困難な場所、例えば、建造物の外壁面や、立体駐車場その他の駐車場の外部空間や、屋外の螺旋階段の外部空間等にも及んでいる。そこで、このような場合、所定の壁面に沿わせてツル科植物を繁殖させることにより、緑化の目的を達することができ、しかも、これが外部空間のオブジェとしての役割を果たすことができる。
【発明の開示】
【０００４】
この点に関して、例えばヨーロッパの古い屋敷等で見られるように、家屋等の建造物の外壁面に沿わせてツル科植物を成長させることが知られている。然しながら、ツル科植物は、ツタの巻きヒゲを外壁に係止させながら成長するものであるから、係止困難な外壁面に直接沿わせながら成長させるときは、育成から繁殖に至るまで長期間を要するのが通例であり、しかも、外壁面が中断する個所では育成できないから、上述のような緑化事業のためには適さない。
【０００５】
そこで、建造物その他の構築物の壁部又は柱部から成る構造物に沿わせてツル科植物育成用のパネルを列設することにより育成用壁面を形成すれば、ツタが該パネルに容易に沿わせられるので、ツル科植物を好適に成長せしめ、比較的短期の繁殖に資することができる。
【発明が解決しようとする課題】
【０００６】
前述のようなパネルは、例えば、細い線材を縦横に配置した格子状のメッシュパネルを構成することが好ましく、このような構成によれば、育成中のツル科植物におけるツタの巻きヒゲが格子部分に好適に絡んで成長を促進するので、上述の目的に適している。
【０００７】
然しながら、比較的高層の建造物における外壁面や、立体駐車場その他の駐車場の外部空間や、屋外の螺旋階段の外部空間等に対して、前述のようなパネルによる育成用壁面を形成することは容易でない。特に、このようなパネル形式の育成用壁面を構築するための装置は、在庫保管と運搬等の便宜のために分解・組立式であることが好ましいが、現場での組立に際して、組立作業の容易性と、組立後の堅牢強固性が求められる。
【０００８】
特に、ツル科植物育成用装置を組立てることにより構築物の壁部又は柱部に沿う育成用壁面を構築したとき、装置全体の重量は相当に大きくなるから、装置自体の荷重が構築物の壁部又は柱部に負荷として作用しないように構成することが求められる。
【課題を解決するための手段】
【０００９】
本発明は、上述の課題を解決したツル科植物育成用装置を提供するものであり、その手段として構成したところは、多数の透孔を有するパネルの多数枚を、建造物その他の構築物の壁部又は柱部から成る構造物に沿わせて少なくとも上下方向に列設することにより育成用壁面を形成し、該壁面に沿わせてツル科植物を成長せしめる装置において、左右に間隔をあけて配置される一対の縦フレームから成る支柱装置と、前記一対の縦フレームを相互に連結するブラケット手段と該ブラケット手段を前記構造物に取付ける取付手段を含む取付装置と、前記パネルを支持せしめた状態で前記支柱手段に取付けられるパネル支持装置とから構成されており、前記支柱装置は、下から上に向けて順に積層自在に構成され、上下に隣接する縦フレームを同軸状に連結する連結手段を備えて成る点にある。
【００１０】
本発明の実施形態において、支柱装置における一対の縦フレームのそれぞれには筒片が固設され、パネル支持装置の縦枠には挿着片が固設されている。従って、挿着片を筒片に対して上から下に向けて挿入することにより、パネル支持装置を支柱装置に対して着脱自在に固着することができる。
【００１１】
【発明の効果】
本発明によれば、ツル科植物育成用装置は、一対の縦フレームから成る支柱装置と、前記一対の縦フレームを相互に連結するブラケット手段と該ブラケット手段を前記構造物に取付ける取付手段を含む取付装置と、前記パネルを支持せしめた状態で前記支柱手段に取付けられるパネル支持装置とから構成されているので、分解・組立式であり、従って、在庫保管や運搬等に頗る便利である。
【００１２】
そして、前記支柱装置は、下から上に向けて順に積層自在に構成され、上下に隣接する縦フレームを同軸状に連結する連結手段を備えているので、現場での組立作業が容易であり、しかも、組立後に堅牢かつ強固なものとなる。特に、装置を高所まで積み上げることにより背の高い育成用壁面を形成したとき、装置全体の重量は相当に大きくなるが、装置の重量による荷重は、支柱装置それ自体により支持されるので、構築物の壁部又は柱部に負荷を与えることはなく、構築物を強度を損なうことがない。
【００１３】
更に、支柱装置の縦フレームに設けた筒片に対して、パネル支持装置の縦枠に設けた挿着片を挿入することにより、パネル支持装置を支柱装置に対して着脱自在に固着する構成であるから、支柱装置の組立て作業を先行させながら、パネル付きのパネル支持装置を後付けすることができるので、現場での組立作業が一層容易であり、しかも、完成後においても、一部のパネル付きのパネル支持装置を容易に交換できるという利点がある。
【発明を実施するための最良の形態】
【００１４】
以下図面に基づいて本発明の好ましい実施形態を詳述する。
【００１５】
（パネルと育成用壁面の実施形態）
図１は、パネルの１例と、該パネルを列設せしめることにより形成された育成用壁面の１例を示している。
【００１６】
図例において、パネル１は、多数の透孔２を有するシート状体３を構成し、断面波形に形成することにより、正面Ｆ側に畝部４と溝部５を構成したものを例示しているが、平坦なシート状体３により構成しても良い。このようなパネル１は、例えば、横１ｍ（１０００ｍｍ）×縦１ｍ（１０００ｍｍ）程度の大きさに形成されるが、その大きさを問うものではない。また、図例の場合、正面Ｆに向けて、３本の畝部４と２本の溝部５を形成しているが、その本数は問わない。
【００１７】
このようなシート状体３は、金属製の細い線材を縦横に配置し、交差部分をスポット溶接した格子状のメッシュ状シートを形成すると共に、プレス等により断面波形に成形することにより、簡単容易に製作することができる。或いは、金属薄板をプレス等により打抜くことにより、多数の透孔２を形成すると共に断面波形に成形しても良く、更には、このような形状のシート状体３を合成樹脂により成形しても良く、その材質や製造方法は問わない。
【００１８】
そこで、本発明の実施形態によれば、図示省略した建造物の壁部又は柱部に沿わせて、多数のパネル１を列設することにより、育成用壁面６を形成したツル科植物育成用装置７が構成される。図例の場合、パネル１の多数を縦横に列設せしめることにより縦横に広がる育成用壁面６を形成しているが、縦方向にのみ列設しても良く、要するに、少なくとも上下方向に多数のパネル１を列設することにより育成用壁面６を形成するものであれば良い。
【００１９】
図例において、ツル科植物育成用装置７は、各パネル１の畝部４及び溝部５が上下方向に延びるように配置されている。従って、該装置７の上下方向に関しては、上下に隣接するパネル１、１が畝部４と溝部５を上下方向に延長せしめており、該装置７の水平方向に関しては、左右に隣接するパネル１、１が畝部４と溝部５を交互に配置せしめている。
【００２０】
然しながら、図示省略しているが、ツル科植物育成用装置７は、各パネル１の畝部４及び溝部５が水平方向に延びるように配置しても良い。この場合、該装置７の上下方向に関しては、上下に隣接するパネル１、１が畝部４と溝部５を交互に配置せしめ、該装置７の水平方向に関しては、左右に隣接するパネル１、１が畝部４と溝部５を水平方向に延長せしめられる。
【００２１】
（本発明装置の実施形態）
図２ないし図４に示すように、パネル１により育成用壁面６を形成するためのツル科植物育成用装置７は、パネル１を支持するためのパネル支持装置８と、左右に間隔をあけて配置される一対の縦フレーム１４ａ、１４ａから成る支柱装置１４と、前記一対の縦フレーム１４ａ、１４ａを相互に連結するブラケット手段２３と該ブラケット手段２３を構築物における壁部又は柱部等の構造物１５に取付ける取付手段１６を含む取付装置９とから構成されている。
【００２２】
（パネル支持装置）
パネル支持装置８は、図２に示すような額縁状の枠フレーム１０により構成され、該枠フレーム１０の縦枠１１、１１の外側面に下向きフック状の挿着片１２を固設している。図例の場合、各縦枠１１に対して上下一対の挿着片１２、１２を設けている。そこで、シート状体３から成るパネル１は、枠フレーム１０の窓状開口１３を正面側から被うように配置され、枠フレーム１０にスポット溶接等により固着される。この際、パネル１を枠フレーム１０に対して着脱自在に固着しても良い。
【００２３】
（支柱装置）
支柱装置１４は、前記枠フレーム１０の幅寸法を内法幅Ｗとするように左右に間隔をあけて配置される一対の縦フレーム１４ａ、１４ａにより構成されており、後述する取付装置９のブラケット手段２３により縦フレーム１４ａ、１４ａの相互が連結されるように構成されている。
【００２４】
一対の縦フレーム１４ａ、１４ａは、それぞれの正面壁に、パネル支持装置８における縦枠１１の挿着片１２を挿脱自在に挿着せしめる筒片１７を固設しており、該筒片１７の周壁には、セットボルト１８を螺入せしめるためのネジ孔から成る孔１９が貫設されている。更に、縦フレーム１４ａは、正面から背面に向けて貫通する孔から成る連結手段２０が設けられており、ボルトから成る連結装置２１により後述するブラケット手段２３に着脱自在に固着される。
【００２５】
（取付装置）
取付装置９は、構築物の壁部又は柱部から成る構造物１５に取付けられる構成とされており、図例の場合、柱部１５ａに取付けられる。そこで、取付装置９は、柱部１５ａを抱持するように折曲されたＵ形ボルトから成る抱持手段２２と、帯板から成るブラケット手段２３を組付けた構成とされており、図４に示すように、抱持手段２２のＵ形部２２ｂにより柱部１５ａを抱持せしめた状態で、該抱持手段２２の平行ボルト部２２ａ、２２ａに摺動自在に外挿された帯状の板片２４を柱部１５ａの正面側に配置する。そこで、該ボルト部２２ａ、２２ａに螺着したナット２５、２５を締着することにより、抱持手段２２のＵ形部２２ｂと板片２４の間に柱部１５をクランプせしめると、これにより抱持手段２２が柱部１５ａに固定される。
【００２６】
図４に示すように、抱持手段２２は、平行ボルト部２２ａ、２２ａを柱部１５ａの正面側に寸法Ｌを越えて長く突出せしめており、その先端近傍部にブラケット手段２３を摺動自在に外挿している。従って、ブラケット手段２３は、平行ボルト部２２ａ、２２ａの先端近傍部において所定位置に螺合したクランプ用ナット２６、２７により固定される。尚、図例の場合、ブラケット手段２３の外側面と外側のナット２７、２７との間には板片２８が介装されている。
【００２７】
ブラケット手段２３の両端近傍部には、縦フレーム１４ａ、１４ａの連結手段２０の孔と合致するネジ孔により構成された連結手段２９が設けられている。従って、抱持手段２２を介して柱部１５ａに固定されたブラケット手段２３の両端部に対して、縦フレーム１４ａ、１４ａを交差配置せしめた状態で、相互に連結手段２０、２９を連結装置２１により連結固着することにより、柱部１５ａの正面側において、内法幅Ｗの間隔を有する縦フレーム１４ａ、１４ａが起立姿勢で設置される。
【００２８】
そこで、一対の縦フレーム１４ａ、１４ａの間に、パネル１を取付けたパネル支持装置８を配置し、縦枠１１の挿着片１２を縦フレーム１４ａの筒片１７に挿着した後、セットボルト１８により挿着片１２を筒片１７の内部で固定すれば、これにより、図３及び図４に示すようなツル科植物育成用装置７の組付け状態が得られる。
【００２９】
このように、各パネル１を取付けた各パネル支持装置８は、構築物の柱部１５ａに対して支柱装置１４と取付装置９を介して取付けられ、このようにして取付けられるパネル１の多数が柱部１５ａに沿って上下方向に列設されることにより育成用壁面６を形成するが、比較的重量物から成るパネル支持装置８と支柱装置１４から生じる荷重は、柱部１５ａに負荷を与えないように構成されている。
【００３０】
即ち、図３に示すように、一対の縦フレーム１４ａ、１４ａは、角パイプ又は丸パイプ等のパイプ材により構成されており、上端部に受入孔３０ａを有し、下端部に挿入片３０ｂを突設しており、従って、下側の縦フレーム１４ａの上端部の受入孔３０ａに対して、上側の縦フレーム１４ａの下端部の挿入片３０ｂが嵌入され、これにより上下に隣接する縦フレーム１４ａ、１４ａを同軸状に連結する連結手段３０を構成している。従って、支柱装置１４を下側から順に上側へと積み上げる用に構成されており、上下に隣接する多数の縦フレーム１４ａ、１４ａは、同軸状に連設され、荷重を下向きに作用せしめるので、柱部１５ａに負荷を与えない。尚、最下部に配置される縦フレーム１４ａは、図示のように、挿入片３０ｂの下端に上下位置調整自在な台座３２を設けていることが好ましく、これにより荷重を接地面に作用せしめる。
【００３１】
（作用）
上述のように多数のパネル１を列設することにより育成用壁面６を形成したツル科植物育成用装置７は、図１に示すように、該壁面６に沿わせてツル科植物Ｐを好適に成長せしめ、該壁面６の全面が葉で被われるように繁殖せしめる。この際、ツル科植物Ｐの客土は、接地面の部分に設ければ良いが、必要に応じて、図４に示すように高所のパネル１の背面側においてプランタボックス３３を吊持せしめても良い。図例の場合、プランタボックス３３は、取付装置９により縦フレーム１４ａと一体的に連結されたブラケット手段２３に吊持されるので、該プランタボックス３３の重量を縦フレーム１４ａに担持させることができる。
【００３２】
ツル科植物Ｐは、生育に伴い、ツタの巻きヒゲをパネル１の透孔２に絡ませながら下から上に向けて成長する。図例の場合、パネル１は、断面波形に屈曲された畝部４と溝部５により表面積を大きく形成されているので、多数のツル科植物Ｐを密接した状態で同時に受入れることができる。即ち、ツル科植物Ｐは、ツタの成長と共に葉を出現させるに際し、密接状態で隣接する葉同士が相互に干渉するときは成長を妨げられるが、断面波形に形成されたパネル１の表面が前後に立体的に形成されているので、葉と葉の干渉が小さく、迅速な成長を可能にする。同様に、畝部４と溝部５による凹凸効果により、通気性と、太陽光の受光性が優れており、ツル科植物Ｐを群生状態で好適に成長せしめる。特に、成長中のツル科植物Ｐの葉は、最も受光性の高い畝部４の部分で早期に広がり、溝部５の部分ではやや遅れて広がることになるが、間隔をあけて配置された多数の畝部４の部分で葉が早く広がることにより、育成用壁面６の概略全面を葉で被うことができるので、外部から視認されるツル科植物育成用装置７の存在感を早期に打ち消すことが可能になる。
【００３３】
また、上述のようなパネル支持装置８と、支柱装置１４と、取付装置９に基づく構成によれば、図４に示すように、縦フレーム１４ａ、１４ａを連結したブラケット手段２３が構造物１５から正面側に寸法Ｌを越えて配置されることにより、寸法Ｌに相当する通気空間を形成し、更に、パネル１を支持する枠フレーム１０が縦フレーム１４ａの前側に配置されることにより、縦フレーム１４ａの径に相当する通気空間を形成し、これらの通気空間を介して窓状開口１３からパネル１の透孔２に空気を供給するので、成長中のツル科植物Ｐに対する通気性が極めて良好となる。
【００３４】
そして、ツル科植物育成用装置７を構築するに際しては、縦フレーム１４ａを連結手段３０により上下に同軸状に連結しながら、支柱装置１４を下から上に向け順に積層すると共に、該支柱装置１４を取付装置９により構造物１５に取付けることにより、該装置７の骨組を容易に形成することができ、このようにして組立てられた支柱装置１４に対して、パネル１付きのパネル支持装置８を装着すれば良いので、作業性が頗る良い。しかも、パネル支持装置８と支柱装置１４の荷重は、縦フレーム１４ａに担持されるので、構造物１５に負荷を与えることがない。
【００３５】
ところで、列設された多数のパネル１により形成された育成用壁面６に対し横向きの強風が作用するような場合においては、多数の透孔２により風通しが良くされているので、負荷を軽減するができ、しかも、各々の支柱装置１４を構造物１５に取付けた取付装置９により強風に対抗できる。
【００３６】
更に、図例のように取付装置９の平行ボルト部２２ａ、２２ａによりブラケット手段２３を構造物１５から寸法Ｌを越えるように正面側に離して配置した構成によれば、上述のような通気空間やプランタボックス３３の取付空間を確保できるばかりでなく、構築物の防災面においても有利である。即ち、もしも万一、ツル科植物Ｐの枯れた葉が発火するような場合においても、壁部や柱部のような構造物１５から十分な距離を確保しているので、構造物１５に対する引火を防止できる。
【図面の簡単な説明】
【図１】本発明の実施形態の外観を示す斜視図である。
【図２】本発明の装置を構成するためのパネル支持装置と支柱装置と取付装置を分解して示す斜視図である。
【図３】各装置を上下に分解して示す正面図である。
【図４】装置の横断面図であり、図３のＡ−Ａ線断面図である。
【符号の説明】
１    パネル
２    透孔
６    育成用壁面
７    ツル科植物育成用装置
８    パネル支持装置
９    取付装置
１４    支柱装置
１４ａ  縦フレーム
１５    構造物
１６    取付手段
２３    ブラケット手段
３０    連結手段
【図１】
2005042338.tif 000003
【図２】
2005042338.tif 000004
【図３】
2005042338.tif 000005
【図４】
2005042338.tif 000006